(57)【要約】【課題】識別機能の高い識別媒体を提供する。【解決手段】識別媒体１００として、光吸収層１０１、コレステリック液晶層１０２、および１／２波長板として機能する液晶層１０３と積層した構造とする。コレステリック液晶層１０２を、右円偏光を選択的に反射する設定とした場合において、右旋回の円偏光を選択的に透過する右旋回透過フィルタ１０４を介して観察すると、右円偏光１１１が液晶層１０３において左円偏光１１２に変換されるので、コレステリック液晶層１０２からの反射光は観察できない。一方、右旋回透過フィルタ１０４を外して観察すると、コレステリック液晶層１０２からの反射光を観察することができる。この違いを利用することで識別を行うことができる。【選択図】図２
2007279129.tif 000002
【特許請求の範囲】
【請求項１】
コレステリック液晶層と、
このコレステリック液晶層上に所定のパターンを有して設けられた１／２波長板として機能する液晶層と
を備えることを特徴とする識別媒体。
【請求項２】
前記コレステリック液晶層または前記１／２波長板として機能する液晶層にホログラム加工が施されていることを特徴とする請求項１に記載の識別媒体。
【請求項３】
前記１／２波長板として機能する液晶層は、１／２波長板として機能する厚さと異なる厚さの領域を有することを特徴とする請求項１または２に記載の識別媒体。
【請求項４】
前記液晶層の厚さは、１／２波長板として機能する厚さの±１０％の範囲にあることを特徴とする請求項１〜３の何れかに記載の識別媒体。
【請求項５】
コレステリック液晶層と、
このコレステリック液晶層上に所定のパターンを有して設けられた１／２波長板として機能する液晶層と
を備えた識別媒体の識別方法であって、
所定の旋回方向の円偏光を選択的に透過する光学フィルタを介して、前記識別媒体を画像認識する第１画像認識ステップと、
前記光学フィルタを介さずに、前記識別媒体を画像認識する第２画像認識ステップと  
を備えることを特徴とする識別方法。
【請求項６】
前記液晶層の厚さは、１／２波長板として機能する厚さの±１０％の範囲にあることを特徴とする請求項５に記載の識別方法。
【請求項７】
コレステリック液晶層と、
このコレステリック液晶層上に所定のパターンを有して設けられた１／２波長板として機能する液晶層と
を備えた識別媒体を識別する識別装置であって、
所定の旋回方向の円偏光を選択的に透過する光学フィルタを介して、前記識別媒体を画像認識する第１画像認識手段と、
前記光学フィルタを介さずに、前記識別媒体を画像認識する第２画像認識手段と  
を備えることを特徴とする識別装置。
【請求項８】
前記液晶層の厚さは、１／２波長板として機能する厚さの±１０％の範囲にあることを特徴とする請求項７に記載の識別装置。
【請求項９】
光反射層と、
この光反射層上に所定のパターンを有して設けられた１／４波長板として機能する液晶層と
を備えることを特徴とする識別媒体。
【請求項１０】
前記液晶層の厚さは、１／４波長板として機能する厚さの±１０％の範囲にあることを特徴とする請求項９に記載の識別媒体。
【請求項１１】
前記１／４波長板として機能する液晶層にホログラム加工が施されていることを特徴とする請求項９または１０に記載の識別媒体。
【請求項１２】
前記１／４波長板として機能する液晶層は、１／４波長板として機能する厚さと異なる厚さの領域を有することを特徴とする請求項９〜１１のいずれかに記載する識別媒体。
【請求項１３】
光反射層と、
この光反射層上に所定のパターンを有して設けられた１／４波長板として機能する液晶層と
を備えた識別媒体の識別方法であって、
直線偏光を選択的に透過する光学フィルタを介して、前記識別媒体を画像認識する第１画像認識ステップと、
前記光学フィルタを介さずに、前記識別媒体を画像認識する第２画像認識ステップと  
を備えることを特徴とする識別方法。
【請求項１４】
前記液晶層の厚さは、１／４波長板として機能する厚さの±１０％の範囲にあることを特徴とする請求項１３に記載の識別方法。
【請求項１５】
光反射層と、
この光反射層上に所定のパターンを有して設けられた１／４波長板として機能する液晶層と
を備えた識別媒体を識別する識別装置であって、
直線偏光を選択的に透過する光学フィルタを介して、前記識別媒体を画像認識する第１画像認識手段と、
前記光学フィルタを介さずに、前記識別媒体を画像認識する第２画像認識手段と  
を備えることを特徴とする識別装置。
【請求項１６】
前記液晶層の厚さは、１／４波長板として機能する厚さの±１０％の範囲にあることを特徴とする請求項１５に記載の識別装置。
【発明の詳細な説明】
【技術分野】
【０００１】
本発明は、光学的な性質を利用した識別媒体に係り、１／２波長板とコレステリック液晶層とを組み合わせた構造、さらに１／４波長板と光反射層とを組み合わせた構造に関する。
【０００２】
コレステリック液晶を用いた識別媒体が知られている（例えば、特許文献１を参照）。この識別媒体においては、所定の旋回方向および波長の円偏光を選択的に反射するコレステリック液晶の光学的な性質を利用することで、光学的な識別が行われる。
【０００３】
【特許文献１】特開２００３−１８６３７７号
【発明の開示】
【発明が解決しようとする課題】
【０００４】
しかしながら、コレステリック液晶を用いた識別媒体は、コレステリック液晶の原料を入手することで偽造が可能となる可能性が危惧される。このため、コレステリック液晶を用いるにしても、より偽造を困難にすることができる識別媒体の構造が求められている。そこで本発明は、従来出回っている識別媒体に比較して、より識別能力が高く偽造が困難である識別媒体の提供を課題とする。
【課題を解決するための手段】
【０００５】
本発明の識別媒体は、コレステリック液晶層と、このコレステリック液晶層上に所定のパターンを有して設けられた１／２波長板として機能する液晶層とを備えることを特徴とする。
【０００６】
コレステリック液晶層は、自然光を入射させると、所定波長であり且つ右旋回または左旋回の円偏光を選択的に反射する性質を有する液晶の層である。図３は、コレステリック液晶層の構造を示す概念図であり、図４は、コレステリック液晶層が有する光学的な性質を示す概念図である。図４には、自然光を入射させると、特定波長の右円偏光が反射され、左円偏光、さらにその他の波長の自然光がコレステリック液晶層４０１を透過する様子が示されている。  
【０００７】
コレステリック液晶層は、層状構造を有している。そして、一つの層に着目した場合、層中において液晶分子の分子長軸はその向きが揃っており、かつ層の面に平行に配向している。そして配向の方向は、隣接する層において少しずつずれており、全体としては立体的なスパイラル状に配向が回転しつつ各層が積み重なった構造を有している。この構造において、層に垂直な方向で考えて、分子長軸が３６０°回転して元に戻るまでの距離をピッチＰ、各層内の平均屈折率をｎとする。この場合、コレステリック液晶層は、λｓ＝ｎ×Ｐを満たす、中心波長λｓで特定旋回方向の円偏光を選択的に反射する性質を示す。すなわち、特定の偏光成分に偏らない白色光をコレステリック液晶層に入射させると、特定の波長を中心波長とする右回りまたは左回り円偏光を選択的に反射する。この場合、同じ波長λｓで反射した円偏光と逆の旋回方向を有する円偏光とその他の波長の自然光は、コレステリック液晶層を透過する。
【０００８】
反射する円偏光の旋回方向（回転方向）は、コレステリック液晶層のスパイラル方向を選択することで決めることができる。つまり、光の入射方向から見て、右ネジの向きに螺旋を描いて各層における分子長軸が配向しているか、左ネジの向きに螺旋を描いて各層における分子長軸が配向しているか、を選択することで、反射する円偏光の旋回方向（回転方向）を決めることができる。
【０００９】
また、コレステリック液晶は視野角によって色が変わるカラーシフトと呼ばれる光学的な性質を示す。これは、視野角が大きくなると、ピッチＰが見かけ上減少することから、中心波長λｓが短波長側へ移行するためである。たとえば、垂直方向から観察して赤色に呈色するコレステリック液晶の反射色は、視野角を大きくするに従い赤→橙→黄→緑→青と順次変化するように観察される。なお、視野角は、視線と識別媒体表面の垂線とのなす角度として定義される。
【００１０】
１／２波長板とは、１／２位相差板とも呼ばれ、光が通過する際に、複屈折効果により、直交する偏光成分の間に半波長（位相差π（１８０°））の位相差を発生させる光学素子のことをいう。１／２波長板に円偏光や楕円偏光を通過させると、その旋回方向を反転させることができる。
【００１１】
本発明においては、液晶層が有する複屈折性を利用して、１／２波長板を構成する。液晶層を１／２波長板として機能させるには、液晶分子を一軸配向させた液晶層の厚さを調整すればよい。理論的には、一軸配向した液晶層において、液晶分子の長軸方向の屈折率と短軸方向の屈折率との差（Δｎ）と、液晶層の厚さｄとの積（Δｎｄ）（リターデーションという）の値の設定によって、当該液晶層を１／２波長板として機能させることができる。
【００１２】
１／２波長板を液晶層によって構成することで、任意のパターンの形成を容易に行うことができる。また、厚さを任意にそして簡単に設定することができるので、正確に１／２波長板を構成することができる。また、厚さを任意に設定することができるので、意図的に１／２波長板から位相差の発生条件をずらした設定を作り出すことができる。このことは、反射光が見える、あるいは見えないといった光のＯＮ／ＯＦＦによる識別のみではなく、階調を伴った識別機能を発現させる場合に重要となる。さらに液晶層を利用して、１／２波長板を構成することで、薄型化、軽量化、低コストを追究することができる。
【００１３】
本発明において、光吸収層上にコレステリック液晶層を配置し、さらにその上に所定のパターンを有して設けられた１／２波長板として機能する液晶層を配置してもよい。こうすることで、上述した光学機能を効果的に発揮させることができる。なお、識別対象の物品の表面が光吸収性を備えている場合（例えば黒色等の濃い色の表面を有している場合）は、光吸収層を配置しなくてもよい。ここで光吸収層とは、識別に利用する波長帯域の光を吸収する層のことをいう。識別に可視光を利用する場合、光吸収層として黒や濃い色の層を利用することができる。
【００１４】
以下、本発明における識別の原理を説明する。図１は、本発明の識別媒体の一例を示す断面図である。図１には、識別媒体１００が示されている。この識別媒体１００は、光吸収層１０１上にコレステリック液晶層１０２を備え、更にその上に１／２波長板として機能する液晶層１０３が積層された構造を備えている。図２は、識別機能の原理を説明するための概念図である。図２（Ａ）は、１／２波長板として機能する液晶層１０３を外した状態において、右円偏光を選択的に透過する光学フィルタ（右旋回透過フィルタ）１０４を介して観察する状態を示す。図２（Ｂ）は、１／２波長板として機能する液晶層１０３を設けた構成（つまり図１の構成）を、右旋回透過フィルタ１０４を介して観察する状態を示す。なお、説明を容易にするために、１／２波長板として機能する液晶層１０３が、コレステリック液晶層１０２から離れて位置する状態が記載されているが、実際には、図１に示すように両者が密着している。また、コレステリック液晶層１０２は、右旋回の円偏光を選択的に反射する設定であるとする。また、円偏光の旋回方向（回転方向）は、光軸の方向（光の進む方向）に向かって、時計回りに電界ベクトル成分が回転するものを右旋回、その逆を左旋回と定義するものとする。
【００１５】
まず、図２（Ａ）の１／２波長板として機能する液晶層１０３がない場合を説明する。この場合、自然光１０５は、右旋回透過フィルタ１０４を通過することで、右円偏光１０６となる。この右円偏光１０６は、コレステリック液晶層１０２において右円偏光１０７として反射される。この右円偏光１０７は、右旋回透過フィルタ１０４を透過し、直線偏光１０９として認識することができる。したがって、図２（Ａ）に示すように、右旋回透過フィルタ１０４を介して、コレステリック液晶層１０２を見た場合は、反射光を認識することができる。
【００１６】
この場合、右旋回透過フィルタ１０４を左旋回透過フィルタ（左旋回の円偏光を選択的に透過する光学フィルタ）に交換すると、符号１０６に相当する光線が左旋回の円偏光となる。したがって、この光線は、コレステリック液晶層１０２において反射されず、光吸収層１０１において吸収される。そのため、反射光を認識することができない。これが、従来のコレステリック液晶層を利用した識別媒体の基本的な原理である。
【００１７】
図２（Ｂ）に示す本発明を利用した識別媒体は、１／２波長板として機能する液晶層１０３があるので、動作が上記の場合とは異なり、見え方も違うものとなる。すなわち、まず、入射光である自然光１１０は、右旋回透過フィルタ１０４を透過することで、右円偏光１１１となる。この右円偏光１１１は、１／２波長板として機能する液晶層１０３を通過する際に左円偏光１１２となり、コレステリック液晶層１０２に入射する。コレステリック液晶層１０２は、右円偏光を反射する設定であったので、左円偏光１１２は、コレステリック液晶層１０２を透過し、光吸収層１０１に吸収される。したがって、この場合、識別媒体１００からの反射光を観察することはできない。つまり、右旋回透過フィルタ１０４を介して、識別媒体１００を観察しても、反射光を認識することはできない（あるいは認識し難い）。
【００１８】
次に、図２（Ｃ）に示すように、識別媒体１００を、左旋回透過フィルタ（左円偏光を透過する光学フィルタ）１１３を介して観察する場合を説明する。この場合、まず入射光である自然光１１４は、左旋回透過フィルタ１１３を透過することで、左円偏光１１５となり、さらに１／２波長板として機能する液晶層１０３を透過することで、右円偏光１１６となる。コレステリック液晶層１０２は右円偏光を反射するので、右円偏光１１６は、右円偏光１１７としてコレステリック液晶層１０２から反射される。右円偏光１１７は、１／２波長板として機能する液晶層を透過する際に、左円偏光１１８に変換され、さらに左旋回透過フィルタ１１３を透過し、直線偏光１１９として認識される。つまり、左旋回透過フィルタ１１３を介して、識別媒体１００を観察した場合、反射光を認識することができる。このように、本発明を利用した識別媒体は、従来のコレステリック液晶を用いた識別媒体とは光学的な機能が異なる。
【００１９】
本発明における液晶層の厚さが、１／２波長板として機能する厚さから多少ずれていても良い。この場合、寸法のズレ具合に応じて、上述した光学機能が不明確になってゆく傾向が増大してゆくが、相応の識別機能を得ることはできる。液晶層の厚さに関する寸法のズレは、１／２波長板として機能する厚さの±１０％の範囲内であれば許容することができる。しかしながら、より明確な識別機能を追究するのであれば、±５％以内、好ましくは±３％以内に収めることが好ましい。
【００２０】
本発明の識別媒体において、コレステリック液晶層にホログラム加工が施されていても良い。ホログラム加工は、型押しにより、コレステリック液晶層の層構造に凹凸構造を与えることで行われる。また、液晶層を用いた１／２波長板にホログラム加工が施されていてもよい。液晶層を用いて、光学的な機能を発現する層を構成した場合、この層にホログラム加工を容易に施すことができる。このため、ホログラムを利用した複雑な図柄の形成も容易であり、意匠性や識別性の高い表示を行うことができる。また、上述した所定旋回方向を選択的に透過する光学フィルタを用いた観察において、ホログラムによって表される表示が組み合わされるので、高い識別機能を得ることができる。
【００２１】
１／２波長板として機能する液晶層において、その厚さが１／２波長板として機能する厚さと異なる領域が設けられている構成とすることは好ましい。この態様によれば、識別媒体からの反射光が確認できるか否かによる識別に加えて、識別媒体の表示に階調表示を取り入れることができる。また、この原理を利用すると、場所により段階的あるいは連続的に階調が変化する表示を行わせることもできる。この場所により表示の階調が変化する表示形態を実現するには、１／２波長板として機能する液晶層の厚さが、１／２波長板として機能する厚さから、段階的あるいは連続的に変化してゆく領域を設ければよい。
【００２２】
本発明において、液晶層を用いた１／２波長板は、その厚さを調整することで、１／２波長板としての機能を発現させている。したがって、液晶層の厚さを１／２波長板として機能する厚さから微妙にずらすことで、生じる位相差をπから微妙にずらすことができる。すなわち、液晶層の厚さを調整することで、（１／２λ±Δλ）波長板を実現することができる。円偏光が入射する場合を考えると、波長板としての機能が、位相差１／２λの条件からずれるに従って、透過光は徐々にアスペクト比が大きな逆旋回方向の楕円偏光となる。したがって、この透過光を所定旋回方向の円偏光を選択的に透過する光学フィルタを介して観察した場合、上記のΔλが大きくなるのにしたがって、光学フィルタにおける透過損失が増大する。このため、１／２波長板として機能する液晶層の厚さを部分的に１／２波長板として機能する厚さからずれた厚さに変化させてゆくと、所定旋回方向の円偏光を選択的に透過する光学フィルタを介した観察において、その部分からの反射光に濃淡を付けることができる。この濃淡は、液晶層の厚さを調整すればよいので、連続的あるいは段階的に自由に設定することができる。このため、識別に利用する表示内容を複雑あるいは微妙な模様とすることができ、識別機能を高めることができる。また、偽造が困難な識別媒体とすることができる。
【００２３】
本発明は、上述した識別媒体の識別方法として把握することもできる。すなわち、本発明は、光吸収層と、この光吸収層上に設けられたコレステリック液晶層と、このコレステリック液晶層上に所定のパターンを有して設けられた１／２波長板として機能する液晶層とを備えた識別媒体の識別方法であって、所定の旋回方向の円偏光を選択的に透過する光学フィルタを介して、前記識別媒体を画像認識する第１画像認識ステップと、前記光学フィルタを介さずに、前記識別媒体を画像認識する第２画像認識ステップとを備える識別方法として把握することもできる。この識別方法によれば、第１画像認識ステップにおいて認識される画像と、第２画像認識ステップにおいて認識される画像とを比較することで、真正判定を行うことができる。画像を認識する方法としては、撮像装置により撮像した画像を画像処理する方法、所定の検出ポイントから反射される所定波長の光を光検出センサによって検出する方法、撮像装置で撮像した画像、またはそれを画像処理した画像を判定人がモニターによって観察する方法等を挙げることができる。
【００２４】
この発明においては、所定の旋回方向の円偏光を選択的に反射するコレステリック液晶の性質を利用しているので、光学フィルタは、右円偏光または左円偏光を選択的に透過するものが選択される。なお、第２画像認識ステップとしては、光学フィルタを用いずに直接識別媒体の画像認識を行う場合と、第１画像認識ステップにおいて用いた光学フィルタと逆旋回方向の円偏光を選択的に透過する光学フィルタを用いて画像認識を行う場合とを挙げることができる。
【００２５】
本発明は、上述した識別媒体を識別する際に用いられる識別装置として把握することもできる。すなわち、本発明は、光吸収層と、この光吸収層上に設けられたコレステリック液晶層と、このコレステリック液晶層上に所定のパターンを有して設けられた１／２波長板として機能する液晶層とを備えた識別媒体を識別する識別装置であって、所定の旋回方向の円偏光を選択的に透過する光学フィルタを介して、前記識別媒体を画像認識する第１画像認識手段と、前記光学フィルタを介さずに、前記識別媒体を画像認識する第２画像認識手段とを備えることを特徴とする識別装置として把握することもできる。なお、第１画像認識手段と第２画像認識手段とは、部分的に構成を共有してもよい。例えば、画像認識手段として撮像装置（カメラ）が採用される場合、両画像認識手段において、撮像装置を共有してもよい。
【００２６】
本発明の識別媒体の第２の構成は、光反射層と、この光反射層上に所定のパターンを有して設けられた１／４波長板として機能する液晶層とを備えることを特徴とする。
【００２７】
１／４波長板というのは、直交する偏光成分の間にπ／２（９０°）の位相差を発生させる波長板のことをいう。１／４波長板を用いると、直線偏光を円偏光に、あるいは円偏光を直線偏光に変換することができる。本発明における１／４波長板も液晶層によって構成される。１／４波長板を液晶層によって構成する優位性は、１／２波長板の場合と同じである。
【００２８】
以下、上記の発明における識別機能の原理を説明する。図５（Ａ）は、上記の発明を利用した識別媒体の一例を示す断面図である。この識別媒体２００は、光反射層２０１上に１／４波長板として機能する液晶層２０２を積層した構造を備えている。図５（Ｂ）は、識別の原理を説明するための概念図である。なお、図５（Ｂ）においては、説明を容易にするために、１／４波長板として機能する液晶層２０２を光反射層２０１から離した状態が記載されている。
【００２９】
以下、図５のＸ軸方向に偏光した直線偏光を選択的に透過する直線偏光透過フィルタ２０３を介して、識別媒体２００を見る場合を考える。この場合、自然光２０４の中の所定の直線偏光成分（この場合は図中のＸ軸方向に電界成分を有した直線偏光）が、直線偏光透過フィルタ２０３を通過し、Ｘ軸直線偏光２０５となる。Ｘ軸直線偏光２０５は、１／４波長板として機能する液晶層２０２を透過することで、円偏光（この場合は右円偏光）２０６に変換される。この右円偏光２０６は、光反射層２０１において反射され、左円偏光２０７となる。
【００３０】
左円偏光２０７は、１／４波長板として機能する液晶層２０２を透過することで、Ｘ軸方向に直交する方向に電界成分を有するＹ軸直線偏光２０８となる。すなわち、液晶層２０２は、Ｘ軸偏光した直線偏光を右円偏光にする１／４波長板として機能する訳であるから、Ｘ軸に直交したＹ軸直線偏光を入射させた場合には、それを逆旋回方向の左円偏光に変換する。したがって、液晶層２０２に左円偏光２０７が入射すると、Ｙ軸直線偏光２０８に変換される。ここでＹ軸は、図５の紙面に垂直な方向に延在する軸として定義される。
【００３１】
直線偏光透過フィルタ２０３は、Ｘ軸直線偏光を選択的に透過する偏光フィルタであるから、Ｙ軸直線偏光２０８は透過できず遮断される。つまり、直線偏光透過フィルタ２０３を介して、識別媒体２００を観察した場合には、反射光を認識することができない（あるいは認識し難い）。一方、直線偏光フィルタ２０３を外せば、偏光の違いによるフィルタ作用がなくなるので、識別媒体２００からの反射光を観察することができる。この反射光の有無を利用することで識別機能を得ることができる。
【００３２】
液晶層の厚さは、１／４波長板として機能する厚さから多少ずれていても良い。この場合、寸法のズレ具合に応じて、上述した光学機能が不明確になってゆく傾向が増大してゆくが、相応の識別機能を得ることはできる。液晶層の厚さに関する寸法のズレは、１／４波長板として機能する厚さの±１０％の範囲内であれば許容することができる。しかしながら、より明確な識別機能を追究するのであれば、±５％以内、好ましくは±３％以内に収めることが好ましい。
【００３３】
この液晶層を１／４波長板として利用する発明において、この液晶層にホログラム加工を施すことは好ましい。液晶層にホログラム加工を施すことで、上述した光学的な性質にホログラム表示が組み合わされ、より複雑な見え方を観察することができる。
【００３４】
また液晶層に、１／４波長板として機能する厚さからずれた厚さの領域を設けることは好ましい。この場合も、１／２波長板の場合と同様に、１／４位相差条件からずれた厚さの液晶層の部分の表示を淡くすることができる。また、その淡さ加減を液晶層の厚さの設定によって調整することができる。これにより、濃淡を有した図柄表示を用いた識別機能を得ることができ、高い識別機能と高い偽造防止効果を得ることができる。
【００３５】
また本発明は、上述した液晶層を１／４波長板として利用する識別媒体の識別方法の発明として把握することもできる。すなわち、光反射層と、この光反射層上に所定のパターンを有して設けられた１／４波長板として機能する液晶層とを備えた識別媒体の識別方法であって、直線偏光を選択的に透過する光学フィルタを介して、前記識別媒体を画像認識する第１画像認識ステップと、前記光学フィルタを介さずに、前記識別媒体を画像認識する第２画像認識ステップとを備える識別方法として把握することもできる。
【００３６】
また本発明は、上述した液晶層を１／４波長板として利用する識別媒体の識別装置の発明として把握することもできる。すなわち、光反射層と、この光反射層上に所定のパターンを有して設けられた１／４波長板として機能する液晶層とを備えた識別媒体を識別する識別装置であって、直線偏光を選択的に透過する光学フィルタを介して、前記識別媒体を画像認識する第１画像認識手段と、前記光学フィルタを介さずに、前記識別媒体を画像認識する第２画像認識手段とを備える識別装置として把握することもできる。
【発明の効果】
【００３７】
本発明によれば、簡単な構造でありながら、識別能力が高く、偽造が困難な識別媒体を得ることができる。
【発明を実施するための最良の形態】
【００３８】
１．第１の実施形態
（１−１）第１の実施形態の製造工程
以下、コレステリック液晶層と１／２波長板として機能する液晶層とを用いた識別媒体の一例を説明する。図６は、本実施形態の識別媒体の製造工程の一例を示す工程断面図である。
【００３９】
まず、図６（Ａ）に示すように、透明保護層６０１としてＴＡＣ（トリアセチルセルロース）フィルムを用意する。透明保護層６０１は、透過する光の偏光状態に影響を与えない、あるいは透過する光の偏光状態への影響が少ない材質であることが好ましい。透明保護層６０１には、予め後述する液晶を配向させるための下処理（ラビング処理）を施しておく。配向処理は、液晶パネルの製造技術において利用されている技術を用いて行えばよい。
【００４０】
透明保護層６０１を用意したら、上述した配向処理を施した表面上に液晶材料を印刷し、所定のパターンを有した液晶層６０２を形成する。液晶層６０２は、１／２波長板として機能する厚さに設定する。またその印刷パターンは、所定の図柄（文字や図形）とする。また、液晶材料としては、紫外線や電子線のようなエネルギー線の照射によって配向状態が固定されるものや使用する環境温度よりも十分高いガラス転移温度を有する液晶高分子を用いる。具体的なガラス転移温度としては、日常的な使用環境を想定した場合には６０度以上であることが好ましい。これより低い場合は、例えば直射日光のあたる車内に放置される場合のように使用中の環境温度がガラス転移温度よりも高くなり液晶の配向状態が変化してしまう恐れがあり好ましくない。液晶層６０２を形成したら、加熱し配向処理を行い、更に紫外線を照射して配向状態を固定する。液晶の配向状態は、液晶分子が層に平行に、更にその分子長軸が一方向に揃った状態となるようにする。こうして、図６（Ａ）に示す状態を得る。
【００４１】
一方、図６（Ｂ）に示すように、透明基材層６０３としてＴＡＣ（トリアセチルセルロース）フィルムを用意する。透明基材層６０３の表面にもコレステリック液晶層の配向状態を決める下処理を施しておく。そして、透明基材層６０３上にコレステリック液晶層を構成するための液晶材料を全面に塗布し、さらに配向処理を施すことで、コレステリック液晶層６０４を形成する。
【００４２】
図６（Ａ）に示す状態と図６（Ｂ）に示す状態とを得たら、液晶層６０２とコレステリック液晶層６０４とを向かい合わせ、両者を接着剤により接着する。こうして。図６（Ｃ）に示す状態を得る。すなわち、透明保護層６０１、パターニングされ１／２波長板として機能する液晶層６０２、コレステリック液晶層６０４、透明基材層６０３と積層された状態を得る。液晶層６０２とコレステリック液晶層６０４とを接着する接着剤は、液晶層６０２を構成する液晶分子の長軸方向の屈折率または短軸方向の屈折率に近い値のものを選択することが好ましい。接着剤の屈折率と液晶層６０２の長軸方向または短軸方向の屈折率とが大きく異なっていると、屈折率の違いに起因して、直接目視した場合に液晶層６０２のパターンがうっすらと認識可能になる可能性が増大する。上述した接着剤の屈折率の選択を行うことで、直接目視した場合に、液晶層６０２のパターンが薄く見えてしまうことが防止される。これにより、直接見た場合に液晶層６０２のパターンが見えなくなる光学機能を効果的に発揮させることができ、高い識別機能を得ることができる。
【００４３】
図６（Ｃ）に示す状態を得たら、図６（Ｄ）に示すように、黒の顔料を加えた粘着材料を透明基材層６０３の露呈した表面上に塗布し、粘着層兼光吸収層６０５を形成する。そして、粘着層兼光吸収層６０５に離型紙６０６を貼り合わせる。こうして識別媒体６０７を得る。図６（Ｅ）は、図６（Ｄ）に示す状態を上下逆さまにしたものである。図６（Ｅ）には、離型紙６０６、粘着層兼光吸収層６０５、透明基材層６０３、コレステリック液晶層６０４、パターニングされ１／２波長板として機能する液晶層６０２、透明保護層６０１と積層された構造の識別媒体６０７が示されている。識別媒体６０７を識別対象の物品に固定する場合、離型紙６０６を粘着層兼光吸収層６０５から剥がし、粘着層兼光吸収層６０５を識別対象の物品を貼り付ける。そして識別を行う際には、透明保護層６０１側から観察を行う。
【００４４】
上記の構成において、コレステリック液晶層６０４にホログラム加工が施されていてもよい。コレステリック液晶層６０４にホログラム加工が施されていると、液晶層６０２のパターンによって構成される図柄に加えて、このホログラム加工によって構成される図柄を識別の対象として利用することができる。コレステリック液晶層６０４にホログラム加工を施すには、図６（Ｂ）の状態において、型を押し付け、コレステリック液晶層６０４に凹凸構造を与えればよい。
【００４５】
また、１／２波長板として機能する液晶層６０２にホログラム加工が施されていてもよい。液晶層６０２にホログラム加工が施されていると、液晶層６０２のパターンによって構成される図柄に加えて、このホログラム加工によって構成される図柄を識別の対象として利用することができる。液晶層６０２にホログラム加工を施すには、図６（Ａ）の状態において、型を押し付け、液晶層６０２に凹凸構造を与えればよい。
【００４６】
１／２波長板として機能する液晶層６０２を所定のパターンに形成する方法として、まず全面に１／２波長板として機能する液晶層を形成しておき、サーマルプリンタ等によって部分的に加熱を行う方法を採用してもよい。この場合、選択的な加熱を行った部分の配向性が変化し、その部分が１／２波長板として機能しなくなる。そして、選択的な加熱が行われなかった部分が、１／２波長板として機能する液晶パターンとなる。
【００４７】
（１−２）第１の実施形態の動作
以下、図６に示す識別媒体６０７の識別動作について説明する。この例においては、１／２波長板として機能する液晶層６０２によってＡＢＣと図柄表示が形成されているものとする。また、コレステリック液晶層６０４は、赤の右回り円偏光を選択的に反射する設定になっているものとする。
【００４８】
（直接観察の場合）
図７は、図６の識別媒体６０７の見え具合を説明する概念図である。図７（Ａ）は、偏光フィルタを介さず、識別媒体６０７をそのまま直接観察した場合の見え具合である。この場合、全面が赤に見える。すなわち、１／２波長板として機能する液晶層６０２に多様な偏光状態を含む自然光が入射するので、１／２波長板としての光学作用は、液晶層６０２が存在していない領域と比較して区別できない（あるいは区別し難い）。したがって、コレステリック液晶層６０４によって反射された赤の右円偏光が観察され、全面が赤に見える。
【００４９】
なお、識別媒体６０７を傾け、視野角を徐々に大きくしてゆくと、赤→橙→黄→緑→青と短波長側にシフトしてゆくカラーシフトを観察することができる。このため、コレステリック液晶層６０４にホログラム加工が施されていると、視野角を変化させていった場合に、カラーシフトを伴ったホログラム画像を観察することができる。
【００５０】
（右旋回透過フィルタを介しての観察）
次に右旋回の円偏光を選択的に透過する光学フィルタである右旋回透過フィルタを、図６（Ｅ）に示す識別媒体６０７の透明保護層６０１上に重ね、識別媒体６０７を観察した場合を説明する。この場合、図２（Ｂ）に示す原理により、赤い背景の中に液晶層６０２によって構成される図柄ＡＢＣが黒く浮かび上がる（図７（Ｂ））。
【００５１】
すなわち、図２（Ｂ）に示すように、識別媒体１００に右旋回透過フィルタ１０４を重ねた場合、１／２波長板として機能する液晶層１０３を透過した光は、コレステリック液晶層１０２によって反射されない。つまり、図６（Ｅ）の識別媒体６０７の透明保護層６０１に右旋回透過フィルタを重ねた場合、１／２波長板として機能する液晶層６０２を透過した入射光は左円偏光となって、コレステリック液晶層６０４において反射されず、それを透過し、粘着層兼光吸収層６０５において吸収される。従って、液晶層６０２のパターンは黒く見える。
【００５２】
これに対して、液晶層６０２が存在していない領域では、コレステリック液晶層６０４からの赤の反射光を観察することができるので、液晶層６０２が存在していない領域は赤く見える。したがって、図７（Ｂ）に示すように、赤い背景の中に黒く図柄ＡＢＣが浮かび上がる。また、この右旋回透過フィルタ１０４を重ねた場合において、視野角を大きくしてゆくと、背景の赤の表示色がカラーシフトによって、徐々に短波長側の色にシフトする。すなわち、赤→橙→黄→緑→青と短波長側にシフトしてゆく背景色の中に、黒く図柄ＡＢＣが表示される状態が観察される。
【００５３】
（左旋回透過フィルタを介しての観察）
次に左旋回の円偏光を選択的に透過する光学フィルタである左旋回透過フィルタを、図６（Ｅ）に示す識別媒体６０７の透明保護層６０１上に重ね、識別媒体６０７を観察した場合を説明する。この場合、図２（Ｃ）に示す原理により、黒い背景の中に液晶層６０２によって構成される図柄ＡＢＣが赤く浮かび上がる（図７（Ｃ））。
【００５４】
すなわち、図２（Ｃ）に示すように、左旋回透過フィルタ１１３を重ねた場合、１／２波長板として機能する液晶層１０３には左円偏光１１５が入射する。そして、液晶層１０３を透過後には、右円偏光１１６となり、コレステリック液晶層１０２によって反射される。このコレステリック液晶層１０２によって反射された右円偏光１１７は、液晶層１０３に再入射し、液晶層１０３の１／２波長板としての機能により、左円偏光１１８に変換される。この左円偏光１１８は、左旋回透過フィルタ１１３を透過するので、観察可能となる。つまり、図６（Ｅ）の識別媒体６０７の透明保護層６０１に左旋回透過フィルタを重ねた場合、１／２波長板として機能する液晶層６０２を透過した入射光は、コレステリック液晶層６０４において反射される。このコレステリック液晶層６０４において反射された赤の右円偏光は、液晶層６０２に再度入射し、左円偏光となり、透明保護層６０１上に重ねた左旋回透過フィルタを透過する。したがって、液晶層６０２のパターンは、赤く見える。
【００５５】
これに対して、液晶層６０２が存在していない領域では、コレステリック液晶層６０４に左円偏光が入射するので、コレステリック液晶層６０４からの反射光は無く（あるいは弱く）、反射光は観察されない（あるいは弱く観察される）。したがって、液晶層６０２が存在していない領域は、黒く（あるいは濃い色に）見える。このため、図７（Ｃ）に示すように、黒い背景の中に、液晶層６０２によって構成される図柄ＡＢＣのパターンが赤く浮かび上がって見える。また、この状態において、識別媒体６０７を傾けると、液晶層６０２によって構成される図柄ＡＢＣが、カラーシフトを示し、その発色が赤→橙→黄→緑→青と短波長側にシフトする。
【００５６】
（第１の実施形態の光学特性）    
このように、図６の識別媒体６０７は、視野角０°で（つまり垂直に）直視した場合に全体が赤く見え、また視野角を大きくすると、全体がカラーシフトを示す。そして、識別媒体６０７に右旋回透過フィルタを重ね、視野角０°で見ると、液晶層６０２によって構成される図柄ＡＢＣが赤い背景の中に黒く浮かび上がって見える。また、視野角を大きくしてゆくと、背景のみがカラーシフトを示す。さらに、識別媒体６０７に左旋回透過フィルタを重ね、視野角０°で見ると、液晶層６０２によって構成される図柄ＡＢＣが黒い背景の中に赤く浮かび上がって見える。また、視野角を大きくしてゆくと、図柄ＡＢＣのみが黒い背景の中でカラーシフトを示す。このような特異な見え方を利用することで、識別媒体として機能させることができる。なお、コレステリック液晶層６０４にホログラム加工を施すと、上述したカラーシフト現象がホログラムの図柄を浮かび上がらせるように作用するので、さらに複雑な見え方を観察することができる。
【００５７】
２．第２の実施形態
図６に示す識別媒体６０７において、１／２波長板として機能する液晶層６０２の厚さをパターン毎に微妙に異ならせても良い。こうすると、例えば図７の図柄ＡＢＣの各文字の見た目の濃さに濃淡を付けることができる。
【００５８】
例えば、図柄ＡおよびＣを構成する液晶層６０２の厚さを１／２波長板として機能する厚さに設定し、図柄Ｂを構成する液晶層６０２の厚さを１／２波長板として機能する厚さよりやや薄く（あるいはやや厚く）設定する。こうすると、図柄Ｂにおける液晶層６０２の１／２波長板としての機能がやや不完全になる。この結果、図７（Ｃ）に示す左旋回透過フィルタを介した観察において、上述した条件からのずれに起因して、図柄Ｂを透過し観察される光の左旋回透過フィルタを透過する際の損失が増大する。この結果、図柄ＡおよびＣに比較して、図柄Ｂの表示が弱く見える。この結果、図柄Ｂが図柄ＡおよびＣに比較してやや淡く（やや弱い光強度）で観察される。
【００５９】
この原理を応用すると、一つの文字（あるいは適当な図柄）の中で濃淡（グラデーション）を付けた表示を行うことも可能である。例えば、図７に示すような図６の液晶層６０２によって図柄ＡＢＣのパターンが形成されている場合を考える。この際、各文字を構成する液晶層６０２の厚さを正面左から縦縞状に徐々に減少させた設定とする。例えば、各文字パターンにおいて、液晶層６０２の一番左側を１／２波長板として機能する厚さとして、そこから縦縞状に段階的に徐々に厚さを薄くする設定とする。こうすると、図７（Ｃ）に示す左旋回透過フィルタを介した観察において、図柄ＡＢＣの各文字が、縦縞状に左から段階的に淡くなる状態を観察することができる。また、同様な原理により、液晶層６０２の厚さを連続的に変化させると、連続的に濃淡が変化した表示を観察することも可能となる。液晶層６０２の厚さは、印刷時における液晶材料の基材への付着量や塗布量の調整により簡単に制御可能である。したがって、上述した階調識別表示の機能は簡単に実現することができる。
【００６０】
この階調識別表示の機能を利用すると、濃淡の表示が可能になるので、例えば簡単な風景の表示等を、識別を行うための画像として利用するようなこともできる。また、視野角を変化させることで、コレステリック液晶層が示すカラーシフト機能を併せて観察することができるので、濃淡のある図柄を色彩の変化を伴って観察することができる。このため、光学フィルタを用いた観察において、非常に特異な見え方となる。また、液晶材料の選択や厚さの設定といった製造条件が分からなければ、この特異な見え方を再現することは困難となる。したがって、偽造が困難な識別媒体を得ることができる。
【００６１】
３．第３の実施形態
（３−１）第３の実施形態の製造工程
以下、光反射層と１／４波長板として機能する液晶層とを用いた識別媒体の一例を説明する。図８は、本実施形態の識別媒体の製造工程の一例を示す工程断面図である。まず、適当な樹脂フィルム８０１を用意する。樹脂フィルム８０１は、基材として機能するフィルムであり、例えばＰＥＴフィルム等を利用すればよい。樹脂フィルム８０１を用意したら、その一方の表面に光反射層８０２としてアルミ蒸着層を付ける。また、その他方の表面に粘着層８０３を設け、更に粘着層８０３の露呈した表面に離型紙８０４を貼り付ける。こうして図８（Ａ）に示す状態を得る。
【００６２】
次に図８（Ｂ）に示すように、透明保護層８０５としてＴＡＣ（トリアセチルセルロース）フィルムを用意する。透明保護層８０５は、透過する光の偏光状態に影響を与えない、あるいは透過する光の偏光状態への影響が少ない材質であることが好ましい。透明保護層８０５には、予め液晶を配向させるための下処理（ラビング処理）を施しておく。配向処理は、液晶パネルの製造技術において利用されている技術を用いて行えばよい。次に印刷法を用いて、所定のパターンに液晶層８０６を形成する。液晶層８０６は、１／４波長板として機能する厚さに設定する。液晶層８０６を形成したら、配向処理を行い、液晶分子を配向させる。液晶材料としては、紫外線や電子線のようなエネルギー線の照射によって配向状態が固定されるものや、使用する環境温度よりも十分高いガラス転移温度を有する液晶高分子を用いる。具体的なガラス転移温度としては、日常的な使用環境を想定した場合には６０度以上であることが好ましい。これより低い場合は、例えば直射日光のあたる車内に放置される場合のように使用中の環境温度がガラス転移温度よりも高くなり液晶の配向状態が変化してしまう恐れがあり好ましくない。配向処理においては、液晶層８０６を形成した後に、加熱することで液晶分子を配向させ、その後に紫外線を照射することで、配向状態を固定するか、ガラス転移温度以下に急速に冷却することにより配向状態をガラス固定化する。液晶の配向状態は、液晶分子が層に平行に、更にその分子長軸が一方向に揃った状態となるようにする。こうして、図８（Ｂ）に示す状態を得る。
【００６３】
次に図８（Ａ）に示す部材と図８（Ｂ）に示す部材とを、光反射層８０２と液晶層８０６とが向かい合わせになる状態で貼り合わせる。こうして、図８（Ｃ）に示す識別媒体８０７を得る。識別媒体８０７は、基材となる樹脂フィルム８０１上に光反射層８０２が設けられ、その上に液晶層８０６による所定の図柄パターンが形成され、さらにその上に透明保護層８０５が設けられている。また、樹脂フィルム８０１の裏面側には、粘着層８０３と離型紙８０４を備えている。識別媒体８０７を識別対象となる物品に固定する際には、離型紙８０４を剥がし、粘着層８０３を当該物品に貼り付ければよい。
【００６４】
１／４波長板として機能する液晶層８０６を所定のパターンに形成する方法として、まず全面に１／４波長板として機能する液晶層を形成しておき、サーマルプリンタ等によって部分的に加熱を行う方法を採用してもよい。この場合、選択的な加熱を行った部分の配向性が変化し、その部分が１／４波長板として機能しなくなる。そして、選択的な加熱が行われなかった部分を１／４波長板として機能する液晶パターンとすることができる。
【００６５】
（３−２）第３の実施形態の動作
以下、図８に示す識別媒体８０７の識別動作について説明する。この例においては、１／４波長板として機能する液晶層８０６によってＡＢＣと図柄表示が形成されているものとする。図９は、本実施形態の見え具合を示す概念図である。
【００６６】
（直接観察）
図８の識別媒体８０７をそのまま直接観察した場合、光反射層８０２からの反射光が全体において一様に観察される。これは、特定の偏光状態にない自然光が識別媒体８０７に入射するので、１／４波長板として機能する液晶層８０６の存在は際立たず、液晶層８０６のパターンは認識しがたい。したがって、図９（Ａ）に示すように全体が一様に金属光沢に見える。
【００６７】
（直線偏光透過フィルタを介して観察）
識別媒体８０７の透明保護層８０５に直線偏光を選択的に透過する光学フィルタ（直線偏光透過フィルタ）を重ね、識別媒体を観察する場合を考える。この場合、液晶層８０６の部分からの反射光を観察することができず、その部分が黒く見える。すなわち、図９（Ｂ）に示すように、金属光沢のある背景の中に黒く図柄ＡＢＣが浮かび上がる。
【００６８】
すなわち、図５に示すように、識別媒体２００にＸ軸直線偏光を透過する直線偏光透過フィルタ２０３を重ねた場合、直線偏光透過フィルタ２０３を透過したＸ軸直線偏光２０５は、１／４波長板を構成する液晶層２０２を透過することで右円偏光２０６になり、光反射層２０１において反射することで、左円偏光２０７になる。この左円偏光２０７は、液晶層２０２を透過することで、Ｘ軸直線偏光２０５と偏波方向が直交するＹ軸直線偏光２０８となる（Ｙ軸は、図５の紙面に垂直な向きに延長する軸である）。よって、Ｙ軸直線偏光２０８は、直線偏光透過フィルタ２０３によって遮断される。この原理により、図８の液晶層８０６が存在する部分からの反射光は、観察されず、液晶層８０６の部分は黒く見える。一方、液晶層８０６が存在していない部分においては、そのまま光反射層８０２からの反射光が観察されるので、金属光沢に見える。そのため、図９（Ｂ）に示すように図８の液晶層８０６によって構成される図柄ＡＢＣは、金属光沢の背景に中に黒く浮かび上がって見える。
【００６９】
（円偏光透過フィルタを介して観察）
円偏光を選択的に透過する光学フィルタ（円偏光透過フィルタ）を介して識別媒体８０７を観察した場合も図柄ＡＢＣを認識することができる。この場合、図５に示す原理図において、符号２０３の光学フィルタが円偏光透過フィルタに変更される。例えば、右旋回の円偏光を選択的に透過する右旋回透過フィルタを符号２０３の直線偏光透過フィルタの代わりに利用する場合を考える。この場合、符号２０５の光線が右円偏光となり、符号２０６および２０７の光線がＸ軸直線偏光となる。そして、符号２０８の光線が右円偏光となり、それは符号２０３の位置に置いた右旋回透過フィルタを透過する。また、１／４波長板を構成する液晶層２０２が存在していない場所は、光反射層２０１からの反射光の旋回方向が反転して左円偏光となるので、それは右旋回透過フィルタを透過せず、観察することができない。したがって、その部分は黒く見える。この原理により、図８に示す液晶層８０６の部分からの反射光を観察することができる。すなわち、円偏光透過フィルタを用いた観察を行うことで、黒い背景の中に金属光沢のある図柄ＡＢＣが浮かび上がった状態を観察することができる。
【００７０】
（第３の実施形態の光学特性）    
このように、図８の識別媒体８０７は、直視すると全面が金属光沢に見え、直線偏光を選択的に透過する光学フィルタを介して観察すると、金属光沢の背景の中に黒く図柄が浮かび上がる光学特性を示す。また、円偏光を選択的に透過する光学フィルタを介して観察すると、黒い背景の中に金属光沢の図柄が浮かび上がる光学特性を示す。
【００７１】
４．第４の実施形態
図８に示す識別媒体８０７において、１／４波長板として機能する液晶層８０６の厚さをパターン毎に微妙に異ならせても良い。こうすると、例えば図９の図柄ＡＢＣの各文字の見た目の濃さに濃淡を付けることができる。
【００７２】
例えば、図柄ＡおよびＣを構成する液晶層８０６の厚さを１／４波長板として機能する厚さに設定し、図柄Ｂを構成する液晶層８０６の厚さを１／４波長板として機能する厚さよりやや薄く（あるいはやや厚く）設定する。こうすると、図柄Ｂにおける液晶層８０６の１／４波長板としての機能がやや不完全になり、図柄Ｂの部分からの反射光がアスペクト比の大きい楕円偏光になる。そのため、図９（Ｂ）に示す直線偏光フィルタを介した観察において、図柄Ｂの部分からの反射光に直線偏光フィルタによって遮断されない直線偏光の成分が含まれることになり、図柄Ｂの黒表示が、図柄ＡおよびＣに比較して、薄く見える。つまり、図柄ＡおよびＣが濃い黒に見え、図柄Ｂが薄い（淡い）黒に見える。
【００７３】
この原理を応用すると、一つの文字（あるいは適当な図柄）の中で濃淡（グラデーション）を付けた表示を行うことも可能である。例えば、図８の液晶層８０６によって図９に示すような図柄ＡＢＣのパターンが形成されている場合を考える。この際、各文字を構成する液晶層８０６の厚さを正面左から縦縞状に徐々に減少させた設定とする。例えば、各文字パターンにおいて、液晶層８０６の一番左側を１／４波長板として機能する厚さとして、そこから縦縞状に段階的に徐々に厚さを薄くした設定とする。こうすると、図９（Ｂ）に示す直線偏光透過フィルタを介した観察において、図柄ＡＢＣの各文字が、縦縞状に左から段階的に淡くなる状態を観察することができる。また、同様な原理により、液晶層８０６の厚さを連続的に変化させると、連続的に濃淡が変化した状態を観察することも可能となる。液晶層８０６の厚さは、印刷時における液晶材料の基材への付着量や塗布量の調整により簡単に制御可能である。したがって、上述した階調識別表示の機能は簡単に実現することができる。この階調識別表示の機能を利用すると、濃淡の観察が可能になるので、例えば簡単な風景の表示等を、識別を行うための画像として利用するようなこともできる。液晶材料の選択や厚さの設定といった製造条件が分からなければ、この濃淡の微妙な表現を再現することは困難である。したがって、偽造が困難な識別媒体を得ることができる。
【００７４】
５．第５の実施形態
以下、図６に示す識別媒体６０７を識別するための識別装置の一例を説明する。
（構成）
図１０は、識別装置の概要を示すブロック図である。図１０には、図６に示す識別媒体６０７を識別するための識別装置９０１が示されている。識別装置９０１は、第１画像認識手段９０２と第２画像認識手段９０３を備えている。第１画像認識手段９０２は、第１撮像装置（ＣＣＤカメラ）９０２ａ、ライト９０２ｂ、および右円偏光を選択的に透過する右旋回透過フィルタ９０２ｃを備えている。第２画像認識手段９０３は、第２撮像装置（ＣＣＤカメラ）９０３ａ、およびライト９０３ｂを備えている。２つの画像認識手段の違いは、右旋回透過フィルタ９０２ｃの有無である。また識別装置９０１は、ステージ９０４を備えている。このステージ９０４上に識別媒体６０７（図６参照）を貼り付けた物品９０５が載置される。ステージ９０４は、第１画像認識手段９０２と第２画像認識手段９０３との間を自由に移動することができる。図１０には、ステージ９０４が、第１画像認識手段９０２の下に位置した状態が示されている。
【００７５】
第１撮像装置９０２ａは、右旋回透過フィルタ９０２ｃを介して、識別媒体６０７を撮像する。ライト９０２ｂは、この撮像の際に発光し、識別媒体６０７に光を当て、撮像に必要な明るさを確保する。第２撮像装置９０３ａは、光学フィルタを介さずに識別媒体６０７を直接撮像する。ライト９０３ｂは、この撮像の際に発光し、識別媒体６０７に光を当て、撮像に必要な明るさを確保する。
【００７６】
また、識別装置９０１は、画像比較装置９０６、記憶装置９０７、および比較結果出力装置９０８を備えている。画像比較装置９０６は、第１撮像装置９０２ａの画像出力と、第２撮像装置９０３ａの画像出力とを取り込み、両画像を記憶装置９０７内に記憶された基準画像と比較する。記憶装置９０７は、識別手段６０７の真正を判断する際の基準となる画像のデータを記憶する。また、記憶装置９０７には、後述する識別装置の動作手順を決める動作プログラムが記憶される。記憶手段９０７としては、半導体メモリやハードディスク装置が採用される。比較結果出力装置９０８は、画像比較装置９０６による比較結果（真正判断の結果）を出力するディスプレイである。比較結果出力装置９０８は、音による出力手段（例えば、真正判断が偽である場合に、警報音を発生するブザー）であってもよい。また、比較結果出力装置９０８を、真正判断ＯＫであれば緑ランプ点灯、真正判断ＮＯであれば赤ランプ点灯というような構成としてもよい。
【００７７】
（動作）
識別動作の前に、予め記憶装置９０７に真正が保証された基準識別媒体の画像を基準画像として記憶させておく。この例においては、基準画像として、右旋回透過フィルタを介して基準識別媒体を撮像した際の画像データと、右旋回透過フィルタを介さず直接基準識別媒体を撮像した際の画像データとを記憶装置９０７に記憶しておく。
【００７８】
識別に当たっては、まず識別対象となる物品９０５をステージ９０４上に載置する。物品９０５がステージ９０４上に載置されたら、図示しないスタートスイッチが操作され、以下の手順が自動的に実行され、識別媒体６０７の真正判断が行われる。すなわち、物品９０５がステージ９０４上に載置された状態において、ステージ９０４は、第１画像認識手段９０２の下に移動する。そして、ライト９０２ｂを点灯し、第１撮像装置９０２ａによって、右旋回透過フィルタ９０２ｃを介した識別媒体６０７の撮像が行われる。この撮像画像は、画像比較装置９０６に出力される。画像比較装置９０６は、記憶装置９０７に記憶されている基準画像（右旋回透過フィルタを介した撮像画像）を読み出し、それを第１撮像装置９０２ａから出力された撮像画像と比較する。画像比較装置９０６は、比較した画像が一致、あるいは多少の差違があっても、それが許容される程度のものであれば、真正と判断し、そうでなければ偽物と判断し、その旨の第１判断信号を生成する。
【００７９】
次にステージ９０４は、第２画像認識手段９０３の下に移動する。そして、ライト９０３ｂを点灯し、第２撮像装置９０３ａによって識別媒体６０７の撮像が行われ、その撮像画像は、画像比較装置９０６に出力される。画像比較装置９０６は、記憶装置９０７に記憶されている基準画像（右旋回透過フィルタを介さない撮像画像）を読み出し、それを第２撮像装置９０３ａから出力された撮像画像と比較する。画像比較装置９０６は、比較した画像が一致、あるいは多少の差違があっても、それが許容される程度のものであれば、真正と判断し、そうでなければ偽物と判断し、その旨の第２判断信号を生成する。
【００８０】
そして、第１判断信号と第２判断信号が共に真正を意味するものであれば、比較結果出力装置９０８は、判断結果が真正である旨の出力を行い、そうでなければ、判断結果が偽物である旨の出力を行う。
【００８１】
６．第６の実施形態
以下、図８に示す識別媒体８０７を識別するための識別装置の一例を説明する。この場合、図１０に示す識別装置９０１に備える光学フィルタを右旋回透過フィルタ９０２ｃから直線偏光透過フィルタに交換する。また、記憶装置９０７に記憶させる基準画像も対応するものに変更する。真正判断における動作手順は、第５の実施形態の場合と同じである。
【００８２】
７．第７の実施形態
第５の実施形態と第６の実施形態の両方の機能を備えた識別装置としてもよい。この場合、符号９０２ｃの光学フィルタとして、右旋回透過フィルタと直線偏光透過フィルタとを用意し、何れか一方を適宜光路上に配置できるようにすればよい。例えば、適当な駆動機構により、右旋回透過フィルタまたは直線偏光透過フィルタを動かし、符号９０２ｃの部分に適宜配置できるようにする。また、記憶装置９０７には、各識別媒体に応じた基準画像を記憶させておく。この態様によれば、図６の識別媒体６０７と図８の識別媒体８０７の両方に対応することができる。識別動作を行う際には、識別媒体の種類に応じて、右旋回透過フィルタまたは直線偏光透過フィルタを光路に挿入し、第５の実施形態において説明した動作手順を実行する。この際、基準画像は、対応する識別媒体のものを選択する。
【００８３】
８．第８の実施形態
第５の実施形態において、第２画像認識手段９０３に左円偏光を選択的に透過する左旋回透過フィルタを配置し、この左旋回透過フィルタを介して、識別媒体６０７を撮像するようにしてもよい。この場合、第１画像認識手段９０２における右旋回透過フィルタ９０２ｃを介した識別媒体の撮像画像と、第２画像認識手段９０３における左旋回透過フィルタを介した識別媒体の撮像画像とが画像比較装置９０６において、それぞれ基準画像と比較される。図２（Ｂ）と図２（Ｃ）に原理を、そして図７に見え具合を説明するように、１／２波長板を用いた識別媒体６０７は、右旋回透過フィルタを用いた場合の画像と、左旋回透過フィルタを用いた場合の画像とにおいて、反射／非反射の領域が反転する。この違いは当然撮像される画像の違いに反映されるので、第１画像認識手段９０２と第２画像認識手段９０３とにおいて、異なる画像が取得される。この場合、２種類の取得撮像を基準画像と比較して、真正の判断が行われる。
【産業上の利用可能性】
【００８４】
本発明は、真正を判断するための識別媒体に利用することができる。また、本発明の識別媒体は、識別対象となる物品に直接組み込むことも可能である。この場合、識別媒体としての機能を備えた物品を得ることができる。
【図面の簡単な説明】
【００８５】
【図１】発明を利用した識別媒体の構造を示す断面図である。
【図２】図１の識別媒体の動作原理を示す概念図である。
【図３】コレステリック液晶層の構造を示す概念図である。
【図４】コレステリック液晶層の光学特性を示す概念図である。
【図５】発明を利用した識別媒体の構造および動作原理を示す断面図である。
【図６】実施形態の識別媒体の製造工程を示す断面図である。
【図７】図６の識別媒体の見え具合を示す概念図である。
【図８】実施形態の識別媒体の製造工程を示す断面図である。
【図９】図８の識別媒体の見え具合を示す概念図である。
【図１０】実施形態の認識装置の概要を示すブロック図である。
【符号の説明】
【００８６】
１００…識別媒体、１０１…光吸収層、１０２…コレステリック液晶層、１０３…１／２波長板として機能する液晶層、１０４…右旋回透過フィルタ、１１３…左旋回透過フィルタ、２００…識別媒体、２０１…光反射層、２０２…１／４波長板として機能する液晶層、２０３…直線偏光透過フィルタ、６０７…識別媒体、９０１…識別手段、９０２…第１画像認識手段、９０２ｃ…右旋回透過フィルタ、９０３…第２画像認識手段。
【図１】
2007279129.tif 000003
【図２】
2007279129.tif 000004
【図３】
2007279129.tif 000005
【図４】
2007279129.tif 000006
【図５】
2007279129.tif 000007
【図６】
2007279129.tif 000008
【図７】
2007279129.tif 000009
【図８】
2007279129.tif 000010
【図９】
2007279129.tif 000011
【図１０】
2007279129.tif 000012